(57)【特許請求の範囲】
【請求項１】
燃料噴射ポンプ（２０）の調量具（２１）をガバナ収容室（Ａ）内のガバナレバー（１４）を介して調量移動可能に構成し、停止アクチュエータ（４３）と手動停止手段（５０）とを、上記調量具（２１）に係脱可能に臨ませ、上記停止アクチュエータ（４３）又は手動停止手段（５０）により上記調量具（２１）をエンジン停止位置（Ｓｐ）に操作して燃料の給送を停止するように構成したエンジン停止装置において、
上記ガバナ収容室（Ａ）に近接して過給機付きエンジンの燃料制限装置（２５）の作動室（Ｂ）を配置し、この作動室（Ｂ）の機壁（４７）に上記手動停止手段（５０）を設け、上記燃料制限装置（２５）の作動部を構成する揺動レバー（３１）に上記手動停止手段（５０）の停止接当部（５１）を係脱可能に臨ませ、上記揺動レバー（３１）を介して上記調量具（２１）を停止操作するように構成した、ことを特徴とするエンジン停止装置。
【発明の詳細な説明】
【０００１】
【発明の属する技術分野】
この発明は、エンジン停止装置に関し、特に停止アクチュエータと手動停止手段とを備えるエンジン停止装置に関する。
【０００２】
【従来の技術】
停止アクチュエータと手動停止手段とを備えるエンジン停止装置としては、従来より図５に示すものが知られている。
それは、燃料噴射ポンプ２０の調量具２１をガバナ収容室Ａ内のガバナレバー１４を介して調量移動可能に構成し、常時は停止アクチュエータ４３の出力ロッド４３ａで燃料噴射ポンプ２０の調量具２１をエンジン停止位置Ｓｐに操作し、非常時には手動停止手段５０の停止接当部５１で上記調量具２１をエンジン停止位置Ｓｐに操作して燃料の給送を停止するように構成されている。上記停止アクチュエータ４３の出力ロッド４３ａは、ガバナ収容室Ａ内の緩衝ロッド２２を介して上記調量具２１の右端に接当可能に設けられ、上記手動停止手段５０の停止接当部５１は、上記緩衝ロッド２２の右端に形成された鍔部２２ａに係脱可能に設けられている。
【０００３】
【発明が解決しようとする課題】
上記従来のエンジン停止装置を、例えば図４（Ａ）に示す燃料制限装置２５を備える過給機付きエンジンにそのまま適用すると、手動停止手段５０の支軸５２が長くなる。そこで図４（Ｂ）に示す手動停止手段５０をガバナ収容室Ａの前壁に装着することも考えられるが、そうするとガバナ収容室Ａの前壁に設けられている調速レバー（図示せず）と手動停止手段５０とが干渉する。
本発明はこのような事情を考慮してなされたもので、手動停止手段と調速レバーとを離間配置して両者の干渉を回避しつつ、手動停止手段５０の小型化を維持することを技術課題とする。
【０００４】
【課題を解決するための手段】
上記課題を解決するために、本発明は以下のように構成される。
即ち、本発明は燃料噴射ポンプ２０の調量具２１をガバナ収容室Ａ内に設けたガバナレバー１４を介して調量移動可能に構成し、停止アクチュエータ４３と手動停止手段５０とを、上記調量具２１に係脱可能に臨ませ、上記停止アクチュエータ４３又は手動停止手段５０により上記調量具２１をエンジン停止位置Ｓｐに操作して燃料の給送を停止するように構成した（以下、これを「基本構成」という）エンジン停止装置において、
上記ガバナ収容室Ａに近接して過給機付きエンジンの燃料制限装置２５の作動室Ｂを配置し、その作動室Ｂの機壁４７に上記手動停止手段５０を設け、上記燃料制限装置２５の作動部を構成する揺動レバー３１に、上記手動停止手段５０の停止接当部５１を係脱可能に臨ませ、上記揺動レバー３１を介して上記調量具２１を停止操作するように構成した、ことを特徴とするものである。
【０００５】
【発明の作用・効果】
本発明によれば、以下の作用・効果を奏する。
（イ）本発明では、前記基本構成を備えるエンジン停止装置において、上記ガバナ収容室Ａに近接して過給機付きエンジンの燃料制限装置２５の作動室Ｂを配置し、この作動室Ｂの機壁４７に上記手動停止手段５０を設け、上記燃料制限装置２５の作動部を構成する揺動レバー３１に、上記手動停止手段５０の停止接当部５１を係脱可能に臨ませたことから、上記作動室Ｂの機壁４７に設けられている手動停止手段５０は、ガバナ収容室Ａの前壁に装着されている調速レバーと干渉する虞れはなくなる。つまり、手動停止手段５０を燃料制限装置２５の作動室Ｂ側に設け、調速レバー１４をガバナ収容室Ａ側に設けることにより、両者を離間配置したので、両者の干渉の問題を解消することができる。
【０００６】
（ロ）また、本発明では、上記揺動レバー３１に手動停止手段５０の停止接当部５１を係脱可能に臨ませ、当該揺動レバー３１を介して上記調量具２１を停止操作するように構成したことから、手動停止手段５０の支軸５２が長くならず、手動停止手段５０の小型化を維持することができる。
【０００７】
【発明の実施の形態】
以下、本発明の実施形態を添付図面に基づいて説明する。図１は本発明の第１の実施形態に係るエンジン停止装置の模式図、図２はそのエンジン停止装置の縦断面図である。このエンジン停止装置は、図１及び図２に示すように、従来例と同様の基本構成を備える。
即ち、燃料噴射ポンプ２０の調量具２１（以下「調量ラック」という）をガバナ収容室Ａ内のガバナレバー１４を介して調量移動可能に構成し、停止アクチュエータ４３と手動停止手段５０とを、上記調量ラック２１に対して同軸・直列状に設けた緩衝ロッド２２を介して係脱可能に臨ませ、上記停止アクチュエータ４３又は手動停止手段５０により、上記緩衝ロッド２２を介して上記調量具２１をエンジン停止位置Ｓｐに操作して燃料の給送を停止するように構成されている。
【０００８】
上記停止アクチュエータ４３は、図１及び図２に示すように、ガバナ収容室Ａ内に出力ロッド４３ａを突出させ、その出力ロッド４３ａで上記緩衝ロッド２２を押圧して調量ラック２１をエンジン停止位置Ｓｐへ操作し、燃料噴射ポンプ２０による燃料の圧送を停止させるように構成されている。また、上記手動停止手段５０は、上記ガバナ収容室Ａの上側に近接配置された過給機付きエンジンの燃料制限装置２５に連携して設けられている。
【０００９】
この手動停止手段５０は、上記燃料制限装置２５の作動室Ｂの上壁４７ａに回動自在に貫設された伝動軸５２と、その伝動軸５２の先端部に固定され、上記燃料制限装置２５を構成する揺動レバー３１の作用点側に係脱可能に設けられた停止接当部５１と、上記伝動軸５２の基端部に固定された操作アーム５３と、上記停止接当部５１をその待機位置に戻す戻しバネえ５４とから成り、上記揺動レバー３１を上記停止接当部５１で停止操作することより、前記緩衝ロッド２２を介して調量ラック２１をエンジン停止位置Ｓｐに操作するように構成されている。
【００１０】
次に本発明が適用される遠心式ガバナについて説明する。
この遠心式ガバナ１０は、図１及び図２に示すように、ガバナ収容室Ａ内に設けられ、支軸１５で揺動可能に軸支したガバナレバー１４を備える。このガバナレバー１４は２本レバー式の第１レバー１４ａと第２レバー１４ｂとから成り、第１レバー１４ａの入力部にガバナウエイトによるガバナ力ＧＦを作用させるとともに、第１レバー１４ａの出力部１９に燃料噴射ポンプ２０のラックピン２３を連動可能に臨ませ、第２レバー１４ｂの先端部にガバナスプリング１３を介して調速レバー１２を連結し、ガバナスプリング１３の張力を調速レバー１２で調節操作可能に構成し、ガバナスプリング１３の張力とガバナ力ＧＦとによりガバナレバー１４を揺動させてラックピン２３を介して調量ラック２１を調量移動させるように構成されている。
【００１１】
上記調量ラック２１に突設したラックピン２３には、ガバナレバー１４の出力部１９が燃料増量側Ｒから接離可能に接当され、上記調量ラック２１は、その左端に設けたスタートスプリング１８で始動増量側へ付勢されている。これは、エンジン停止装置の小型・小出力化を意図したものである。
即ち、上記調量ラック２１を緩衝ロッド２２を介して停止アクチュエータ４３又は手動停止手段５０で停止操作すると、上記ガバナレバー１４の出力部１９は、ガバナスプリング１３で燃料増量側Ｒに引かれているので、上記調量具２１から離れる。これにより、上記調量具２１にはガバナスプリング１３の張力は作用せず、スタートスプリング１８の付勢力のみが燃料増量側へ作用する。つまり、エンジンを停止操作する際には、スタートスプリング１８の弾発力に抗して弱い力で調量具２１をエンジン停止位置Ｓｐに操作すればよい。従って、上記停止アクチュエータ４３及び手動停止手段５０の停止操作力は弱い力で足り、エンジン停止装置の小型・小出力化を図ることができる。
【００１２】
上記燃料制限装置２５は、揺動支軸Ｑで支えた揺動レバー３１の力点部Ｊにブースト作動器２６の出力ロッド３０を係止するとともに、上記揺動レバー３１の作用点部Ｋを上記緩衝ロッド２２の鍔部２２ａに係止し、上記揺動支軸Ｑをアクチュエータ４０で変位可能に構成し、エンジンの冷始動時には、上記アクチュエータ４０の不作動により上記調量ラック２１を始動増量位置Ｓｔに位置させ、エンジンの温暖始動時には、当該アクチュエータ４０で上記揺動支軸Ｑを変位させて、上記揺動レバー３１の作用点部Ｋで上記緩衝ロッド２２を介して調量ラック２１を始動減量位置Ｌｓへ位置させ、エンジン始動後は、エンジンの過給圧Ｐの上昇遅れに連動させて、上記揺動レバー３１の作用点部Ｋで上記調量具２１の増量移動を抑制する。これにより、急加速時等における過給圧Ｐの上昇遅れに伴う燃料の過剰な供給を制限して、黒煙の発生や無駄な燃料の消費を防止する。
【００１３】
上記ブースト作動器２６は、図２に示すように、ケーシング２６ａ内に、エンジンＥの過給圧Ｐを受けるダイヤフラム２７と、このダイヤフラム２７に対抗する戻しバネ２８とを設け、上記過給圧Ｐによりダイヤフラム２７を押圧して出力ロッド３０を突出させ、揺動支軸Ｑで支えた上記揺動レバー３１の力点部Ｊに上記出力ロッド３０を作用させるように構成されている。この実施形態では、揺動レバー３１の中間部を揺動支軸Ｑで支え、力点部Ｊと作用点部Ｋをそれぞれ上記揺動レバー３１の上端部と下端部に設定している。
【００１４】
上記構成によれば、急加速時に調速レバー１２を強く引いてガバナスプリング１３で第２レバー１４ｂを燃料増量側Ｒへ強く引くと、上記第１レバー１４ａは第２レバー１４ｂとともに燃料増量側Ｒへ同行して、その出力部１９は上記ラックピン２３から離間する。そして上記調量ラック２１には、ガバナ力は作用せず、スタートスプリング１８の付勢力のみが燃料増量側Ｒへ作用する。このときブースト作動器２６のブースト機能（以下、「燃料制限機能」という）が発揮され、調量ラック２１は遅れて増量移動する。
【００１５】
上記構成において、ブースト作動器２６の燃料制限機能を発揮させるには、上記ブースト作動器２６の戻しバネ２８の弾発力を、上記スタートスプリング１８の付勢力とほぼ拮抗する強さに設定すればよい。つまり、戻しバネ２８の弾発力を小さくすることにより、これに対抗するダイヤフラム２７の受圧面積も小さくできる。これによりブースト作動器２６を小出力で小型化できる。
【００１６】
即ち、エンジンの冷始動時において、ブースト作動器２６に作用する過給圧Ｐはゼロで、揺動レバー３１の力点部Ｊが係止されているブースト作動器２６の出力ロッド３０は退入状態にある。そして揺動レバー３１を支える揺動支軸Ｑ及び当該揺動レバー３１の作用点部Ｋは燃料増量側Ｒに位置し、燃料噴射ポンプ２０の調量ラック２１はスタートスプリング１８で燃料増量側Ｒへ付勢されており、当該調量ラック２１が始動増量位置Ｓｔへ位置するのを許容する。これにより上記ブースト作動器２６の燃料制限機能は解除され、エンジンの冷始動に必要な燃料を供給してエンジンの始動性を確保する。
【００１７】
上記アクチュエータ４０は、感温作動器３２により構成されている。この感温作動器３２は、図２に示すように、右側壁に装着されたケーシング３３と、上記ケーシング３３内に収容された容器３４と、上記容器３４を弾発可能に受け止める受けバネ３６と、上記容器３４より突出する出力ロッド３５と、この出力ロッド３５の先端部に被着された揺動支軸Ｑとを備え、容器３４内に収容したワックスの感温体積膨張により、出力ロッド３５を突出させて上記揺動レバー３１を支える揺動支軸Ｑを進退変位させるように構成されている。上記感温作動器３２によれば、アクチュエータ４０を簡素で安価に構成することができる。なお、上記感温作動器３２に代えて、バイメタルや形状記憶手段を用いることもできる。
【００１８】
上記揺動支軸Ｑに対向して、戻しバネ３８で弾圧された接当具３９が設けられている。この接当具３９は、左機壁に進退調節可能に設けられた規制ピン３７の先端部に被着されており、環境温度の低下に伴って、感温作動器３２の出力ロッド３５を戻しバネ３８で容器３４内に押し戻すように構成されている。また、上記規制ピン３７は、感温作動器３２の出力ロッド３５の突出量を規制するもので、ワックスの膨張により出力ロッド３５が規制値をこえて突出する場合には、上記容器３４が受けバネ３６に抗して後退するように構成されている。
【００１９】
温暖始動時には、ブースト作動器２６の出力ロッド３０は突出せず、感温作動器３２の出力ロッド３５は突出するため、揺動レバー３１の作用点部Ｋは始動減量側に位置し、燃料噴射ポンプ２０の調量ラック２１は緩衝ロッド２２を介して始動減量位置Ｌｓに位置する。これにより、温暖始動時における過剰の燃料供給を抑制して黒煙の発生等を防止する。
【００２０】
始動後に調速レバーを急加速すると、過給圧Ｐの上昇遅れに連動してブースト作動器２６の出力ロッド３０が突出するため、揺動レバー３１の作用点部Ｋも遅れて燃料増量側Ｒに変位し、燃料噴射ポンプ２０の調量ラック２１は緩衝ロッド２２を介して遅れて燃料増量側Ｒに移動する。なお、寒冷時（例えば１５℃以下）のときは、ブースト作動器２６の燃料制限機能は解除される。
【００２１】
図３は本発明の第２の実施形態を示す図１相当図であり、この実施形態では、揺動レバー３１の上端部を揺動支軸Ｑで支え、力点部Ｊを揺動レバー３１の中間部に設定し、作用点部Ｋを揺動レバー３１の下端部に設定している。また、この実施形態では、手動停止手段５０は次のように構成されている。
この手動停止手段５０は、燃料制限装置２５の作動室Ｂの右壁４７ｂに進退自在に貫設された押圧軸５２ａと、その押圧軸５２ａの先端部に固定され、前記揺動レバー３１の作用点部Ｊを押圧する停止接当部５１ａと、上記押圧軸５２ａの基端部に固定された押圧操作部５３ａと、上記押圧操作部５３ａを後退させて停止接当部５１ａをその待機位置に戻す戻しバネ５ａとから成り、上記揺動レバー３１を上記停止接当部５１ａで押圧することより、前記緩衝ロッド２２を介して調量ラック２１をエンジン停止位置Ｓｐに操作するように構成されている。
【００２２】
なお、本発明は上記の実施形態に限るものではなく、図１の燃料制限装置２５と図３の手動停止装置５０とを組み合わせたもの、あるいは図３の燃料制限装置２５と図１の手動停止装置５０とを組み合わせたものでも差し支えない。
【図面の簡単な説明】
【図１】本発明の第１の実施形態に係るエンジン停止装置の模式図である。
【図２】上記エンジン停止装置の縦断面図である。
【図３】本発明の第２の実施形態に係る図１相当図である。
【図４】先考案例を示し、図４（Ａ）はその考案例に係る図１相当図、図４（Ｂ）はその変形例に係る手動停止手段の斜視図である。
【図５】従来例に係るエンジン停止装置の縦断面図である。
【符号の説明】
１４…ガバナレバー、２０…燃料噴射ポンプ、２１…調量具（調量ラック）、２５…燃料制限装置、３１…揺動レバー、４３…停止アクチュエータ、４７…作動室の機壁、５０…手動停止手段、５１（５１ａ）…手動停止手段の停止接当部、Ａ…ガバナ収容室、Ｂ…燃料制限装置の作動室、Ｓｐ…エンジン停止位置。
【図１】
0003668682.tif 000002
【図２】
0003668682.tif 000003
【図３】
0003668682.tif 000004
【図４】
0003668682.tif 000005
【図５】
0003668682.tif 000006